【手続補正書】
【提出日】平成17年7月15日(2005.7.15)
【手続補正１】
【補正対象書類名】明細書
【補正対象項目名】特許請求の範囲
【補正方法】変更
【補正の内容】
【特許請求の範囲】
【請求項１】
周辺機器自身でのデータ利用に関連する特有情報を記憶する特有情報記憶部と、
前記特有情報を備えた周辺機器とデータを入出力するデータ入出力部と、
所定の周辺機器が接続されたときに前記データ入出力部から入力したデータに基づいて前記所定の周辺機器が備えた特有情報を識別する識別手段と、
前記特有情報記憶部に記憶されている複数の特有情報の中から所定の特有情報を選択する特有情報選択手段とを備えたことを特徴とするデジタルカメラ。
【請求項２】
前記特有情報選択手段は、前記識別手段が識別した前記接続された周辺機器が備えた特有情報に最も近い特有情報を選択することを特徴とする請求項１に記載のデジタルカメラ。
【請求項３】
前記デジタルカメラは更に、前記識別手段の識別結果と前記特有情報選択手段の選択結果とが一致していなかったならば音声で警告する警告手段を備えることを特徴とする請求項１に記載のデジタルカメラ。
【請求項４】
前記デジタルカメラは更に、前記識別手段の識別結果と前記特有情報選択手段の選択結果とが一致していたならば前記特有情報選択手段により選択された特有情報に基づいて画像データを処理する処理手段を備えたことを特徴とする請求項１に記載のデジタルカメラ。
【請求項５】
前記デジタルカメラは更に、前記識別手段の識別結果と前記特有情報選択手段の選択結果とが一致していなかったならば、画像データに所定の処理を施す処理手段を備えたことを特徴とする請求項１に記載のデジタルカメラ
【請求項６】
前記デジタルカメラは更に、前記識別手段の識別結果と前記特有情報選択手段の選択結果とが一致していなかったならば前記特有情報選択手段が選択した特有情報とは異なる他の特有情報を選択して画像データを処理する処理手段を備えたことを特徴とする請求項１に記載のデジタルカメラ。
【請求項７】
前記デジタルカメラは更に、前記識別手段の識別結果と前記特有情報選択手段の選択結果とが一致していなかったならば前記データ入出力部から前記周辺機器でのデータ利用に関連する特有情報を入力し、それに基づいて画像データを処理する処理手段を備えたことを特徴とする請求項１に記載のデジタルカメラ。
【請求項８】
前記デジタルカメラは更に、前記識別手段の識別結果と前記特有情報選択手段による選択結果を表示する表示手段を備えたことを特徴とする請求項１に記載のデジタルカメラ。
【請求項９】
前記デジタルカメラは更に、特有情報に基づいて画像データを処理する処理手段と、
前記表示手段に表示された前記識別手段の識別結果と前記特有情報選択手段による選択結果とが一致していたならば、前記特有情報選択手段により選択された特有情報に基づいて前記処理手段が画像データを処理するように設定する手動設定手段とを備えたことを特徴とする請求項８に記載のデジタルカメラ。
【請求項１０】
前記デジタルカメラは更に、特有情報に基づいて画像データを処理する処理手段と、
前記表示手段に表示された前記識別手段の識別結果と前記特有情報選択手段による選択結果とが一致していなかったならば予め設定されている所定の処理方法に基づいて前記処理手段が画像データを処理するように設定する手動設定手段とを備えたことを特徴とする請求項８に記載のデジタルカメラ
【請求項１１】
前記デジタルカメラは更に、特有情報に基づいて画像データを処理する処理手段と、
前記表示手段に表示された前記識別手段の識別結果と前記特有情報選択手段による選択結果とが一致していなかったならば前記特有情報とは異なる他の特有情報を選択してそれに基づいて前記処理手段が画像データを処理するように設定する手動設定手段とを備えたことを特徴とする請求項８に記載のデジタルカメラ。
【請求項１２】
前記デジタルカメラは更に、特有情報に基づいて画像データを処理する処理手段と、
前記表示手段に表示された前記識別手段の識別結果と前記特有情報選択手段による選択結果とが一致していなかったならば前記データ入出力部からから前記周辺機器の特有情報を入力しそれに基づいて前記処理手段が画像データを処理するように設定する手動設定手段とを備えたことを特徴とする請求項８記載のデジタルカメラ。
【請求項１３】
前記特有情報とは前記周辺機器から出力する画像のサイズ、表示色数、解像度、被写体撮影方向、プリンタのカラーマッチング情報、プリンタの最大解像度情報、モニタのガンマ特性の少なくとも一つであることを特徴とする請求項１ないし１３のいずれかに記載のデジタルカメラシステム。
【請求項１４】
前記特有情報とは前記周辺機器で使用するアプリケーションソフトであることを特徴とする請求項１ないし１３のいずれかに記載のデジタルカメラシステム。
【請求項１５】
前記特有情報とは前記周辺機器の種類を識別する識別データであることを特徴とする請求項１ないし１３のいずれかに記載のデジタルカメラシステム。
【請求項１６】
接続されている周辺機器の種類を識別する周辺機器識別手段と、
前記周辺機器識別手段の識別結果に基づいて出力データの形態を選択する出力形態選択手段と、
前記出力形態選択手段によって選択された選択データを出力する出力部と、
前記出力形態選択手段によって選択された選択データの出力形態を表示する表示手段とを備えたことを特徴とするデジタルカメラ。
【請求項１７】
前記周辺機器とは音声画像再生機で、前記出力形態は画像データと音声データであることを特徴とする請求項１６に記載のデジタルカメラ。
【請求項１８】
前記周辺機器とは音声専用再生機で、前記出力形態は音声データであることを特徴とする請求項１６に記載のデジタルカメラ。
【請求項１９】
前記周辺機器とはプリンタで、出力形態は画像データであることを特徴とする請求項１６に記載のデジタルカメラ。
【手続補正２】
【補正対象書類名】明細書
【補正対象項目名】０００５
【補正方法】変更
【補正の内容】
【０００５】
【問題点を解決する為の手段】
上記問題点の解決のために、請求項１の発明は、周辺機器自身でのデータ利用に関連する特有情報を記憶する特有情報記憶部と、前記特有情報を備えた周辺機器とデータを入出力するデータ入出力部と、所定の周辺機器が接続されたときに前記データ入出力部から入力したデータに基づいて前記所定の周辺機器備えた特有情報を識別する識別手段と、前記特有情報記憶部に記憶されている複数の特有情報の中から所定の特有情報を選択する特有情報選択手段とを備えたことを特徴としている。これにより、自身でのデータ利用に関連する特有情報を備えた周辺機器が接続されたとき、周辺機器の種類や周辺機器が備えている特有情報を識別することができる。これによってデジタルカメラに記憶されている特有情報の中から所定の特有情報が選択することが出来る。
【手続補正３】
【補正対象書類名】明細書
【補正対象項目名】０００６
【補正方法】変更
【補正の内容】
【０００６】
請求項２の発明は、前記特有情報選択手段は、前記識別手段が識別した前記接続された周辺機器が備えた特有情報に最も近い特有情報を選択することを特徴としている。更に請求項３の発明により、前記デジタルカメラは更に、前記識別手段の識別結果と前記特有情報選択手段の選択結果とが一致していなかったならば音声で警告する警告手段を備えているので特有情報選択手段が最適の特有情報を選択しなかった場合にもユーザに注意を喚起することが出来る。
【手続補正４】
【補正対象書類名】明細書
【補正対象項目名】０００７
【補正方法】変更
【補正の内容】
【０００７】
請求項４の発明は、前記デジタルカメラは更に、前記識別手段の識別結果と前記特有情報選択手段の選択結果とが一致していたならば前記特有情報選択手段により選択された特有情報に基づいて画像データを処理する処理手段を備えたことを特徴としている。すなわち、正しい特有情報が選択されて始めてこの特有情報に基づいた処理をしている。
【手続補正５】
【補正対象書類名】明細書
【補正対象項目名】０００８
【補正方法】変更
【補正の内容】
【０００８】
請求項５の発明は、前記デジタルカメラは更に、前記識別手段の識別結果と前記特有情報選択手段の選択結果とが一致していなかったならば画像データに所定の処理を施す処理手段を備えたことを特徴としている。これにより選択結果と識別結果が一致しなかった場合にはデジタルカメラで予め設定されている処理を施すことによって、特有情報の間違った選択による接続された周辺機器に対する出力データの違いを最小限に押さえることが出来る
【手続補正６】
【補正対象書類名】明細書
【補正対象項目名】０００９
【補正方法】変更
【補正の内容】
【０００９】
請求項６の発明は、前記デジタルカメラは更に、前記識別手段の識別結果と前記特有情報選択手段の選択結果とが一致していなかったならば前記特有情報選択手段が選択した特有情報とは異なる他の特有情報を選択して画像データを処理する処理手段を備えたことを特徴としている。すなわち、識別結果と選択結果とが一致しなかった場合にはデジタルカメラに記憶されている特有情報の中から接続された周辺機器に最も適合している他の特有情報を選択する。これにより、特有情報を間違って選択した場合であっても接続された周辺機器に適合した特有情報を選択することが出来る。
【手続補正７】
【補正対象書類名】明細書
【補正対象項目名】００１０
【補正方法】変更
【補正の内容】
【００１０】
請求項７の発明は、前記デジタルカメラは更に、前記識別手段の識別結果と前記特有情報選択手段の選択結果とが一致していなかったならば前記データ入出力部から前記周辺機器でのデータ利用に関連する特有情報を入力し、それに基づいて画像データを処理する処理手段を備えたことを特徴としている。前記デジタルカメラは更に、前記識別手段の識別結果と前記特有情報選択手段の選択結果とが一致していなかったならば前記データ入出力部から前記周辺機器でのデータ利用に関連する特有情報を入力し、それに基づいて画像データを処理する処理手段を備えたことを特徴としている。これにより、もし識別結果と選択結果とが一致していなかった場合には、接続された周辺機器に適合した特有情報はデジタルカメラには記録されていないと判断して、接続された周辺機器から新たに特有情報を入力することが出来る。
【手続補正８】
【補正対象書類名】明細書
【補正対象項目名】００１１
【補正方法】変更
【補正の内容】
【００１１】
請求項８の発明は、前記デジタルカメラは更に、前記識別手段の識別結果と前記特有情報選択手段による選択結果を表示する表示手段を備えたことを特徴としている。これにより、特有情報が適切に選択されたかどうかどうかを表示手段によりユーザが確認することが出来る。
【手続補正９】
【補正対象書類名】明細書
【補正対象項目名】００１２
【補正方法】変更
【補正の内容】
【００１２】
請求項９の発明は、前記デジタルカメラは更に、特有情報に基づいて画像データを処理する処理手段と、前記表示手段に表示された前記識別手段の識別結果と前記特有情報選択手段による選択結果とが一致していたならば、前記特有情報選択手段により選択された特有情報に基づいて前記処理手段が画像データを処理するように設定する手動設定手段とを備えたことを特徴としている。これにより正しい特性情報が選択されたことを確認した上でこの特有情報に基づいて処理をするようユーザが指示をすることが出来る。
【手続補正１０】
【補正対象書類名】明細書
【補正対象項目名】００１３
【補正方法】変更
【補正の内容】
【００１３】
請求項１０の発明は、前記デジタルカメラは更に、特有情報に基づいて画像データを処理する処理手段と、前記表示手段に表示された前記識別手段の識別結果と前記特有情報選択手段による選択結果とが一致していなかったならば予め設定されている所定の処理方法に基づいて前記処理手段が画像データを処理するように設定する手動設定手段とを備えたことを特徴としている。即ち、識別結果と選択結果とが一致しないことが表示された場合に、デジタルカメラで予め設定されている処理を施すようにユーザが指示することが出来る。
【手続補正１１】
【補正対象書類名】明細書
【補正対象項目名】００１４
【補正方法】変更
【補正の内容】
【００１４】
請求項１１の発明は、前記デジタルカメラは更に、特有情報に基づいて画像データを処理する処理手段と、前記表示手段に表示された前記識別手段の識別結果と前記特有情報選択手段による選択結果とが一致していなかったならば前記特有情報とは異なる他の特有情報を選択してそれに基づいて前記処理手段が画像データを処理するように設定する手動設定手段とを備えたことを特徴としている。即ち、識別結果と選択結果とが一致しないことが表示された場合に、デジタルカメラに記憶されている他の特有情報の中から接続された周辺機器により適合している特有情報をユーザが選択することが出来る。
【手続補正１２】
【補正対象書類名】明細書
【補正対象項目名】００１５
【補正方法】変更
【補正の内容】
【００１５】
請求項１２の発明は、前記デジタルカメラは更に、特有情報に基づいて画像データを処理する処理手段と、前記表示手段に表示された前記識別手段の識別結果と前記特有情報選択手段による選択結果とが一致していなかったならば前記データ入出力部からから前記周辺機器の特有情報を入力しそれに基づいて前記処理手段が画像データを処理するように設定する手動設定手段とを備えたことを特徴としている。即ち、識別結果と選択結果とが一致しないことが表示された場合に、接続された周辺機器に適合した特有情報はデジタルカメラには記録されていないということをユーザが判断することが出来、その場合には、周辺機器から新たに特有情報を入力することが出来る
【手続補正１３】
【補正対象書類名】明細書
【補正対象項目名】００１６
【補正方法】変更
【補正の内容】
【００１６】
請求項１３の発明は、前記特有情報とは前記周辺機器から出力する画像のサイズ、表示色数、解像度、被写体撮影方向、プリンタのカラーマッチング情報、プリンタの最大解像度情報、モニタのガンマ特性の少なくとも一つであることを特徴としている。
【手続補正１４】
【補正対象書類名】明細書
【補正対象項目名】００１７
【補正方法】変更
【補正の内容】
【００１７】
請求項１４の発明は、前記特有情報とは前記周辺機器で使用するアプリケーションソフトであることを特徴としている。請求項１５の発明は、前記特有情報とは前記周辺機器の種類を識別する識別データであることを特徴としている。
【手続補正１５】
【補正対象書類名】明細書
【補正対象項目名】００１８
【補正方法】変更
【補正の内容】
【００１８】
請求項１６の発明は、接続されている周辺機器の種類を識別する周辺機器識別手段と、前記周辺機器識別手段の識別結果に基づいて出力データの形態を選択する出力形態選択手段と、前記出力形態選択手段によって選択された選択データを出力する出力部と、前記出力形態選択手段によって選択された選択データの出力形態を表示する表示手段とを備えたことを特徴としている。すなわち、接続された周辺機器に適合したデータの形態を選択できるとともに、ユーザが出力データの形態を確認することが出来る。
【手続補正１６】
【補正対象書類名】明細書
【補正対象項目名】００１９
【補正方法】変更
【補正の内容】
【００１９】
請求項１７の発明は、前記周辺機器とは音声画像再生機で、前記出力形態は画像データと音声データであることを特徴としている。請求項１８の発明は、前記周辺機器とは音声専用再生機で、前記出力形態は音声データであることを特徴としている。
【手続補正１７】
【補正対象書類名】明細書
【補正対象項目名】００２０
【補正方法】変更
【補正の内容】
【００２０】
請求項１９の発明は、前記周辺機器とはプリンタで、出力形態は画像データであることを特徴としている。